【手続補正書】
【提出日】平成18年5月16日(2006.5.16)
【手続補正１】
【補正対象書類名】明細書
【補正対象項目名】特許請求の範囲
【補正方法】変更
【補正の内容】
【特許請求の範囲】
【請求項１】
ネットワークアナライザの校正において存在するアダプタの影響を除去する方法であって、
前記アダプタのＳパラメータを取得する第一のステップと、
前記校正の事前に、前記アダプタのＳパラメータを用いて、前記ネットワークアナライザにアダプタ誤差項をプリロードする第二のステップと、
前記第二のステップでプリロードされた前記アダプタ誤差項を用いて前記校正を実施し、前記アダプタ誤差項を除いたシステマティック誤差項を生成する第三のステップと、
を含む方法。
【請求項２】
前記第二のステップにおいて、下表に示すように、前記Ｓパラメータ（ａ１１、ａ１２、ａ２１、ａ２２、ｂ１１、ｂ１２、ｂ２１およびｂ２２）が、前記アダプタ誤差項（ｅ００、ｅ１０ｅ０１、ｅ１１、ｅ２２、ｅ１０ｅ３２、ｅ３３、ｅ２３ｅ３２、ｅ´１１、ｅ´２２およびｅ２３ｅ０１）としてプリロードされることを特徴とする請求項１に記載の方法。
【表１】
1999352163.tif 000001
【請求項３】
ネットワークアナライザの校正において存在するアダプタの影響を除去する方法であって、
前記アダプタのＳパラメータを取得する第一のステップと、
前記校正を実施し、予備システマティック誤差項を生成する第二のステップと、
前記第二のステップで生成された前記予備システマティック誤差項、および、前記第一のステップで取得された前記アダプタのＳパラメータを用いて、前記アダプタ誤差項の影響が含まれない補正されたシステマティック誤差項を生成する第三のステップと、
を含む方法。
【請求項４】
前記第三のステップにおいて、下式に示すように、前記補正された予備システマティック誤差項（ｅ００、ｅ１０ｅ０１、ｅ１１、ｅ２２、ｅ１０ｅ３２、ｅ３３、ｅ２３ｅ３２、ｅ´１１、ｅ´２２およびｅ２３ｅ０１）が、前記Ｓパラメータ（ａ１１、ａ１２、ａ２１、ａ２２、ｂ１１、ｂ１２、ｂ２１およびｂ２２）と前記補正された予備システマティック誤差項（ｆ００、ｆ１０ｆ０１、ｆ１１、ｆ２２、ｆ１０ｆ３２、ｆ３３、ｆ２３ｆ３２、ｆ１１、ｆ２２およびｆ２３ｆ０１）とを用いて生成されることを特徴とする請求項４に記載の方法。
順方向方向性：
【数１】
1999352163.tif 000002
順方向反射トラッキング：
【数２】
1999352163.tif 000003
順方向ソース・マッチ：
【数３】
1999352163.tif 000004
順方向ロード・マッチ：
【数４】
1999352163.tif 000005
順方向伝送トラッキング：
【数５】
1999352163.tif 000006
逆方向方向性：
【数６】
1999352163.tif 000007
逆方向反射トラッキング：
【数７】
1999352163.tif 000008
逆方向ロード・マッチ：
【数８】
1999352163.tif 000009
逆方向ソース・マッチ：
【数９】
1999352163.tif 000010
逆方向伝送トラッキング：
【数１０】
1999352163.tif 000011
【請求項５】
ネットワークアナライザの校正において存在するアダプタの影響を除去する方法であって、
前記アダプタのＳパラメータを取得する第一のステップと、
前記アダプタのＳパラメータを用いて、前記アダプタの影響を考慮しないシステマティック誤差項を生成する第二のステップと、
を含む方法。
【請求項６】
前記第二のステップが、
前記校正の事前に、前記アダプタのＳパラメータを用いて、前記ネットワークアナライザにアダプタ誤差項をプリロードする第一のサブステップと、
前記第一のサブステップでプリロードされた前記アダプタ誤差項を用いて前記校正を実施し、前記システマティック誤差項を生成する第二のサブステップと、
を含むことを特徴とする請求項５に記載の方法。
【請求項７】
前記第一のサブステップにおいて、下表に示すように、前記Ｓパラメータ（ａ１１、ａ１２、ａ２１、ａ２２、ｂ１１、ｂ１２、ｂ２１およびｂ２２）が、前記アダプタ誤差項（ｅ００、ｅ１０ｅ０１、ｅ１１、ｅ２２、ｅ１０ｅ３２、ｅ３３、ｅ２３ｅ３２、ｅ´１１、ｅ´２２およびｅ２３ｅ０１）としてプリロードされることを特徴とする請求項６に記載の方法。
【表２】
1999352163.tif 000012
【請求項８】
前記第二のステップが、
前記校正を実施し、予備システマティック誤差項を生成する第一のサブステップと、
前記第一のサブステップで生成された前記予備システマティック誤差項、および、前記第一のステップで取得された前記アダプタのＳパラメータを用いて、前記アダプタ誤差項の影響が含まれないシステマティック誤差項を生成する第二のサブステップと、
を含むことを特徴とする請求項５に記載の方法。
【請求項９】
前記第二のサブステップにおいて、下式に示すように、前記補正された予備システマティック誤差項（ｅ００、ｅ１０ｅ０１、ｅ１１、ｅ２２、ｅ１０ｅ３２、ｅ３３、ｅ２３ｅ３２、ｅ´１１、ｅ´２２およびｅ２３ｅ０１）が、前記Ｓパラメータ（ａ１１、ａ１２、ａ２１、ａ２２、ｂ１１、ｂ１２、ｂ２１およびｂ２２）と前記補正された予備システマティック誤差項（ｆ００、ｆ１０ｆ０１、ｆ１１、ｆ２２、ｆ１０ｆ３２、ｆ３３、ｆ２３ｆ３２、ｆ´１１、ｆ´２２およびｆ２３ｆ０１）とを用いて生成されることを特徴とする請求項８に記載の方法。
順方向方向性：
【数１１】
1999352163.tif 000013
順方向反射トラッキング：
【数１２】
1999352163.tif 000014
順方向ソース・マッチ：
【数１３】
1999352163.tif 000015
順方向ロード・マッチ：
【数１４】
1999352163.tif 000016
順方向伝送トラッキング：
【数１５】
1999352163.tif 000017
逆方向方向性：
【数１６】
1999352163.tif 000018
逆方向反射トラッキング：
【数１７】
1999352163.tif 000019
逆方向ロード・マッチ：
【数１８】
1999352163.tif 000020
逆方向ソース・マッチ：
【数１９】
1999352163.tif 000021
逆方向伝送トラッキング：
【数２０】
1999352163.tif 000022
【請求項１０】
前記第一のステップにおいて、前記アダプタのＳパラメータが、前記アダプタの特性を明らかにすることにより得られることを特徴とする請求項１乃至請求項９のいずれかに記載の方法。
【手続補正２】
【補正対象書類名】明細書
【補正対象項目名】００２６
【補正方法】変更
【補正の内容】
【００２６】
【表３】
1999352163.tif 000023
【手続補正３】
【補正対象書類名】明細書
【補正対象項目名】００２９
【補正方法】変更
【補正の内容】
【００２９】
順方向方向性：
【数２１】
1999352163.tif 000024
【手続補正４】
【補正対象書類名】明細書
【補正対象項目名】００３０
【補正方法】変更
【補正の内容】
【００３０】
順方向反射トラッキング：
【数２２】
1999352163.tif 000025
【手続補正５】
【補正対象書類名】明細書
【補正対象項目名】００３１
【補正方法】変更
【補正の内容】
【００３１】
順方向ソース・マッチ：
【数２３】
1999352163.tif 000026
【手続補正６】
【補正対象書類名】明細書
【補正対象項目名】００３２
【補正方法】変更
【補正の内容】
【００３２】
順方向ロード・マッチ：
【数２４】
1999352163.tif 000027
【手続補正７】
【補正対象書類名】明細書
【補正対象項目名】００３３
【補正方法】変更
【補正の内容】
【００３３】
順方向伝送トラッキング：
【数２５】
1999352163.tif 000028
【手続補正８】
【補正対象書類名】明細書
【補正対象項目名】００３４
【補正方法】変更
【補正の内容】
【００３４】
逆方向方向性：
【数２６】
1999352163.tif 000029
【手続補正９】
【補正対象書類名】明細書
【補正対象項目名】００３５
【補正方法】変更
【補正の内容】
【００３５】
逆方向反射トラッキング：
【数２７】
1999352163.tif 000030
【手続補正１０】
【補正対象書類名】明細書
【補正対象項目名】００３６
【補正方法】変更
【補正の内容】
【００３６】
逆方向ロード・マッチ：
【数２８】
1999352163.tif 000031
【手続補正１１】
【補正対象書類名】明細書
【補正対象項目名】００３７
【補正方法】変更
【補正の内容】
【００３７】
逆方向ソース・マッチ：
【数２９】
1999352163.tif 000032
【手続補正１２】
【補正対象書類名】明細書
【補正対象項目名】００３８
【補正方法】変更
【補正の内容】
【００３８】
逆方向伝送トラッキング：
【数３０】
1999352163.tif 000033
【手続補正１３】
【補正対象書類名】明細書
【補正対象項目名】００５６
【補正方法】変更
【補正の内容】
【００５６】
従って、補正システマティック誤差項（ｅ００、ｅ１０ｅ０１、ｅ１１、ｅ２２、ｅ１０ｅ３２、ｅ３３、ｅ２３ｅ３２、ｅ´１１、ｅ´２２、ｅ２３ｅ０１）は、予備システマティック誤差項（ｆ００、ｆ１０ｆ０１、ｆ１１、ｆ２２、ｆ１０ｆ３２、ｆ３３、ｆ２３ｆ３２、ｆ´１１、ｆ´２２およびｆ２３ｆ０１）から、下の表２中に挙げた式で計算することが可能である。
【表４】
1999352163.tif 000034